(57)【要約】      （修正有）【課題】医療分析システムを提供すること。【解決手段】医療分析システムは、ディスプレイと、処理回路と、含む。処理回路は、生存している対象の身体内の空洞の内部表面の３次元マップを受信することを含む。内部表面上の位置が、球面座標系内に画定されており、各位置が、角度座標対及び原点からの関連する半径方向距離によって画定されている。さらに、内部表面からのそれぞれの位置の角度座標対を、座標変換に従って、２次元平面内のそれぞれの場所に投影することと、それぞれの投影された角度座標対と関連付けられた半径方向距離に少なくとも基づいて、それぞれの場所における平面からのそれぞれの上昇値を計算することと、内部表面の部分的に平坦化された表面の画像を、それぞれの場所における計算されたそれぞれの上昇値に従って、部分的に平坦化された表面が平面から上昇している状態で、ディスプレイにレンダリングすることと、を行う。【選択図】図９
2020140716.tif 000002
【特許請求の範囲】
【請求項１】
医療分析システムであって、
ディスプレイと、
処理回路と、を備え、前記処理回路が、
生存している対象の身体内の空洞の内部表面の３次元（３Ｄ）マップを受信することであって、前記内部表面上の位置が、球面座標系内に画定されており、各位置が、前記球面座標系の原点からの角度座標対及び関連する半径方向距離によって画定されている、受信することと、
既定の座標変換に従って、前記内部表面からのそれぞれの位置の前記角度座標対を、２次元（２Ｄ）平面内のそれぞれの場所に投影することと、
それぞれの投影された前記角度座標対と関連付けられた前記半径方向距離に少なくとも基づいて、前記それぞれの場所における前記２Ｄ平面からのそれぞれの上昇値を計算することと、
前記空洞の前記内部表面の部分的に平坦化された表面の画像を、前記それぞれの場所における計算された前記それぞれの上昇値に従って、前記部分的に平坦化された表面が前記２Ｄ平面から上昇している状態で、前記ディスプレイにレンダリングすることと、を行うように構成されている、医療分析システム。
【請求項２】
前記処理回路が、前記部分的に平坦化された表面に異なる色を追加するように構成されており、そのため前記色が、前記それぞれの場所における前記計算されたそれぞれの上昇値を示す、請求項１に記載のシステム。
【請求項３】
前記処理回路が、前記計算された上昇値に従って、前記部分的に平坦化された表面に輪郭線を追加するように構成されている、請求項１に記載のシステム。
【請求項４】
前記処理回路が、各位置に対して、前記内部表面のデカルト座標を、前記角度座標対及び前記関連する半径方向距離に変換するように構成されている、請求項１に記載のシステム。
【請求項５】
前記処理回路が、前記原点を前記内部表面の重心として計算するように構成されている、請求項１に記載のシステム。
【請求項６】
前記処理回路が、前記空洞の前記内部表面の前記部分的に平坦化された表面上の経路を計算するための終点を示すユーザ入力を受信することと、前記計算された上昇値のうちの少なくともいくつかに応答して、受信された前記終点間の経路を計算することと、前記経路を前記部分的に平坦化された表面上にレンダリングすることと、を行うように構成されている、請求項１に記載のシステム。
【請求項７】
前記空洞に挿入されるように構成された医療器具と、
前記空洞内の前記医療器具の位置を追跡するように構成された追跡モジュールと、を更に備え、前記処理回路が、追跡された前記位置に応答して、前記医療器具の表現を前記部分的に平坦化された表面上にレンダリングするように構成されている、請求項６に記載のシステム。
【請求項８】
前記処理回路が、前記部分的に平坦化された表面の新しい配向を示すユーザ入力を受信することと、前記部分的に平坦化された表面が前記新しい配向に応答して配向されている状態で、前記部分的に平坦化された表面の前記画像を前記ディスプレイにレンダリングすることと、を行うように構成されている、請求項１に記載のシステム。
【請求項９】
医療分析方法であって、
生存している対象の身体内の空洞の内部表面の３次元（３Ｄ）マップを受信することであって、前記内部表面上の位置が、球面座標系内に画定されており、各位置が、前記球面座標系の原点からの角度座標対及び関連する半径方向距離によって画定されている、受信することと、
既定の座標変換に従って、前記内部表面からのそれぞれの位置の前記角度座標対を、２次元（２Ｄ）平面内のそれぞれの場所に投影することと、
それぞれの投影された前記角度座標対と関連付けられた前記半径方向距離に少なくとも基づいて、前記それぞれの場所における前記２Ｄ平面からのそれぞれの上昇値を計算することと、
前記空洞の前記内部表面の部分的に平坦化された表面の画像を、前記それぞれの場所における計算された前記それぞれの上昇値に従って、前記部分的に平坦化された表面が前記２Ｄ平面から上昇している状態で、ディスプレイにレンダリングすることと、を含む、方法。
【請求項１０】
前記部分的に平坦化された表面に異なる色を追加することを更に含み、そのため前記色が、前記それぞれの場所における前記計算されたそれぞれの上昇値を示す、請求項９に記載の方法。
【請求項１１】
前記計算された上昇値に従って、前記部分的に平坦化された表面に輪郭線を追加することを更に含む、請求項９に記載の方法。
【請求項１２】
各位置に対して、前記内部表面のデカルト座標を、前記角度座標対及び前記関連する半径方向距離に変換することを更に含む、請求項９に記載の方法。
【請求項１３】
前記原点を前記内部表面の重心として計算することを更に含む、請求項９に記載の方法。
【請求項１４】
前記空洞の前記内部表面の前記部分的に平坦化された表面上の経路を計算するための終点を示すユーザ入力を受信することと、
前記計算された上昇値のうちの少なくともいくつかに応答して、受信された前記終点間の経路を計算することと、
前記部分的に平坦化された表面上に前記経路をレンダリングすることと、を更に含む、請求項９に記載の方法。
【請求項１５】
前記空洞に挿入された医療器具の位置を追跡することと、追跡された前記位置に応答して、前記医療器具の表現を前記部分的に平坦化された表面上にレンダリングすることと、を更に含む、請求項１４に記載の方法。
【請求項１６】
前記部分的に平坦化された表面の新しい配向を示すユーザ入力を受信することと、
前記部分的に平坦化された表面が前記新しい配向に応答して配向されている状態で、前記部分的に平坦化された表面の前記画像を、前記ディスプレイにレンダリングすることと、を更に含む、請求項９に記載の方法。
【請求項１７】
ソフトウェア製品であって、プログラム命令が格納されている非一時的なコンピュータ可読媒体を含み、前記命令が、中央処理装置（ＣＰＵ）によって読み取られると、前記ＣＰＵに、
生存している対象の身体内の空洞の内部表面の３次元（３Ｄ）マップを受信することであって、前記内部表面上の位置が、球面座標系内に画定され、各位置が、前記球面座標系の原点からの角度座標対及び関連する半径方向距離によって画定されている、受信することと、
既定の座標変換に従って、前記内部表面からのそれぞれの位置の前記角度座標対を、２次元（２Ｄ）平面内のそれぞれの場所に投影することと、
それぞれの投影された前記角度座標対と関連付けられた前記半径方向距離に少なくとも基づいて、前記それぞれの場所における前記２Ｄ平面からのそれぞれの上昇値を計算することと、
前記空洞の前記内部表面の部分的に平坦化された表面の画像を、前記それぞれの場所における計算された前記それぞれの上昇値に従って、前記部分的に平坦化された表面が前記２Ｄ平面から上昇している状態で、ディスプレイにレンダリングすることと、を行わせる、ソフトウェア製品。
【発明の詳細な説明】
【技術分野】
【０００１】
本発明は、体腔のマッピングに関する。
【背景技術】
【０００２】
様々な身体部分の医用画像を、例えば、Ｘ線撮影法、磁気共鳴映像法（magnetic resonance imaging、ＭＲＩ）、医療超音波検査又は超音波、内視鏡検査、エラストグラフィ、触覚イメージング、サーモグラフィ、医療用撮像技術及び核医学機能撮像技術などの様々な方法で形成することが可能である。
【０００３】
コンピュータ断層撮影（computed tomography、ＣＴ）、ＭＲＩ及び超音波スキャンソフトウェアが医師向けの３次元（three-dimensional、３Ｄ）画像を生成できるようにするために、ボリュームレンダリング技術が開発されてきた。従来のＣＴスキャン及びＭＲＩスキャンでは、フィルム上に２次元（two-dimensional、２Ｄ）の静的出力が生成される。３Ｄ画像を生成するために、多くのスキャンが行われ、次いでコンピュータによって結合されて３Ｄモデルが生成され、その後医師が操作することができる。３Ｄ超音波は、幾分似た技術を使用して生成される。
【０００４】
２Ｄ画面上の心腔などの身体部の３Ｄ画像を提示しようとする際、ユーザインターフェースによる３Ｄ画像の手動回転により、ユーザによる３Ｄ画像の様々な側面の目視検査が可能になる。
【０００５】
Ｃｏｆｆｅｙらの米国特許公開第２０１５／００４９０８１号は、特定の哺乳動物の解剖学的アイテムの３次元モデルを識別することと、解剖学的アイテムを通る３次元空間内の開放経路を自動的に識別することと、滑らかな曲線を開放経路に適合させることと、解剖学的アイテム及び滑らかな曲線の視覚的表現を３次元撮像システム上でユーザに表示することと、を含む、コンピュータ実装医療用可視化方法を記載する。
【０００６】
Ｓｚｉｒｔｅｓに対する米国特許第４，６３０，２０３号は、物体の幾何学的形状のマーカー又は既存の知識に頼ることなく、物体上の識別可能な輪郭の３次元座標を再構築するための方法及び装置を記載する。この技術は、Ｃｏｎｔｏｕｒ  Ｒａｄｉｏｇｒａｐｈｙとして定義される。好ましい実施形態では、２つのＸ線源は、放射線学的に識別可能な輪郭を有する物体を照射し、次いで、輪郭の２つの画像は、フィルム平面上の離間した場所においてＸ線フィルム上に投影される。これらの画像は、カーソル又は他の何らかの手段で画像曲線を追跡することによってデジタル化され、それによって任意の数の画像点の座標を確立する。このようにして得られたデジタルデータは、Ｃｏｎｔｏｕｒ  Ｒａｄｉｏｇｒａｐｈｙ（ＣＯＮＲＡＤ）アルゴリズムに従って処理されて、物理的輪郭上の同じ点から生じる２つの曲線上の対応する点を識別する。Ｘ線源の空間座標は、特別な較正システムを使用して決定される。次いで、各対応する点対の座標は、Ｘ線源の空間座標で処理して、輪郭上のそれらの元の空間点の３次元座標を決定する。このようにして、輪郭の３次元座標が、決定される。次いで、３次元座標は、市販のグラフィックシステム内で処理されて、再構成された輪郭を視覚的に表示する。この技術は、放射線学的に識別可能な輪郭を有する骨などの、選択された内臓器官の歪んでいない形状、位置、サイズ、及び配向を決定するための医療における特定の用途を有する。
【０００７】
Ｋａｕｆｍａｎらの米国特許公開第２００２／００３９４００号は、ボリューム可視化技術を使用して器官などの物体の３次元可視化画像を生成し、操作者が飛行経路に沿って移動し、例えば、視覚化された器官内のポリープ、嚢胞又は他の異常な特徴を特定するために、視野を目的の画像の特定の部分に調整することを可能にするガイド付きナビゲーションシステムを使用して、画像を探索するためのシステム及び方法を記載する。電子生検はまた、視覚化された物体内の特定された腫瘍又は質量上で実行され得る。仮想内視鏡検査は、腸内準備、続いて画像セグメンテーション操作を用いることにより、結腸の画像から残留糞便、流体、及び非結腸組織を電子的に除去することによって向上させることができる。本方法はまた、画像セグメンテーション結果を使用して、結腸崩壊領域を仮想的に拡張するために用いられる。
【発明の概要】
【課題を解決するための手段】
【０００８】
本開示の一実施形態によれば、医療分析システムが提供され、ディスプレイと、処理回路と、を含み、処理回路は、生存している対象の身体内の空洞の内部表面の３次元（３Ｄ）マップ、球面座標系内に画定されている内部表面上の位置を受信することであって、各位置が、角度座標対及び球面座標系の原点からの関連する半径方向距離によって画定される、受信することと、内部表面からのそれぞれの位置の角度座標対を、既定の座標変換で２次元（２Ｄ）平面内のそれぞれの場所に投影することと、それぞれの投影された角度座標対に関連付けられた半径方向距離に少なくとも基づいて、それぞれの場所における２Ｄ平面からのそれぞれの上昇値を計算することと、空洞の内部表面の部分的に平坦化された表面の画像を、それぞれの場所における計算されたそれぞれの上昇値に従って、部分的に平坦化された表面が２Ｄ平面から上昇している状態で、ディスプレイにレンダリングすることと、を行うように構成されている。
【０００９】
更に、本開示の実施形態によれば、処理回路は、部分的に平坦化された表面に異なる色を追加するように構成されており、そのため色は、それぞれの場所における計算されたそれぞれの上昇値を示す。
【００１０】
更に、本開示の実施形態によれば、処理回路は、上昇値が計算された部分的に平坦化された表面に輪郭線を追加するように構成されている。
【００１１】
加えて、本開示の実施形態によれば、処理回路は、内部表面の各位置、デカルト座標を角度座標対及び関連する半径方向距離に変換するように構成されている。
【００１２】
更に、本開示の一実施形態によれば、処理回路は、原点を内部表面の重心として計算するように構成されている。
【００１３】
更に、本開示の一実施形態によれば、処理回路は、空洞の内部表面の部分的に平坦化された表面にわたる経路を計算するための終点を示すユーザ入力を受信することと、計算された上昇値のうちの少なくともいくつかに応答して受信された終点間の経路を計算することと、部分的に平坦化された表面上に経路をレンダリングすることと、を行うように構成されている。
【００１４】
また更に、本開示の実施形態によれば、システムは、空洞内に挿入されるように構成された医療器具と、空洞内の医療器具の位置を追跡するように構成された追跡モジュールと、を含み、処理回路が、追跡された位置に応答して、部分的に平坦化された表面上に医療器具の表現をレンダリングするように構成されている。
【００１５】
加えて、本開示の実施形態によれば、処理回路は、部分的に平坦化された表面の新しい配向を示すユーザ入力を受信し、部分的に平坦化された表面が新しい配向に応答して配向されている部分的に平坦化された表面の画像を、ディスプレイにレンダリングするように構成されている。
【００１６】
本開示の更なる別の実施形態によれば、医療分析方法もまた提供され、生存している対象の身体内の空洞の内部表面の３次元（３Ｄ）マップを受信することであって、内部表面上の位置が、球面座標系内に画定され、各位置が、角度座標対と、球面座標系の原点からの関連する半径方向距離と、によって画定される、受信することと、内部表面からのそれぞれの位置の角度座標対を、既定の座標変換で２次元（２Ｄ）平面内のそれぞれの場所に投影することと、それぞれの投影された角度座標対と関連付けられた半径方向距離に少なくとも基づいて、それぞれの場所における２Ｄ平面からのそれぞれの上昇値を計算することと、空洞の内部表面の部分的に平坦化された表面の画像を、部分的に平坦化された表面が、２Ｄ平面、それぞれの場所における計算されたそれぞれの上昇値から上昇している状態で、ディスプレイにレンダリングすることと、を含む。
【００１７】
更に、本開示の実施形態によれば、本方法は、部分的に平坦化された表面に異なる色を追加することを含み、そのため色は、それぞれの場所における計算されたそれぞれの上昇値を示す。
【００１８】
更に、本開示の実施形態によれば、本方法は、上昇値が計算された部分的に平坦化された表面に輪郭線を追加することを含む。
【００１９】
また更に、本開示の実施形態によれば、本方法は、各位置に関して、内部表面のデカルト座標を角度座標対及び関連する半径方向距離に変換することを含む。
【００２０】
加えて、本開示の一実施形態によれば、本方法は、原点を内部表面の重心として計算することを含む。
【００２１】
更に、本開示の一実施形態によれば、本方法は、空洞の内部表面の部分的に平坦化された表面にわたる経路を計算するための終点を示すユーザ入力を受信することと、計算された上昇値のうちの少なくともいくつかに応答して、受信された終点間の経路を計算することと、部分的に平坦化された表面上に経路をレンダリングすることと、を含む。
【００２２】
更に、本開示の実施形態によれば、本方法は、空洞に挿入された医療器具の位置を追跡することと、追跡された位置に応答して、部分的に平坦化された表面上に医療器具の表現をレンダリングすることと、を含む。
【００２３】
また更に、本開示の一実施形態によれば、本方法は、部分的に平坦化された表面の新しい配向を示すユーザ入力を受信することと、部分的に平坦化された表面が新しい配向に応答して配向されている部分的に平坦化された表面の画像を、ディスプレイにレンダリングすることと、を含む。
【００２４】
本開示の更に別の実施形態によれば、プログラム命令が記憶されている非過渡性コンピュータ可読媒体を含むソフトウェア製品も提供され、この命令は、中央処理装置（central processing unit、ＣＰＵ）によって読み取られるとき、ＣＰＵに、生存している対象の身体内の空洞の内部表面の３次元（３Ｄ）マップ、球面座標系内に画定されている内部表面上の位置を受信することであって、各位置が、角度座標対及び球面座標系の原点からの関連する半径方向距離によって画定される、受信することと、内部表面からのそれぞれの位置の角度座標対を、既定の座標変換で２次元（２Ｄ）平面内のそれぞれの場所に投影することと、それぞれの投影された角度座標対に関連付けられた半径方向距離に少なくとも基づいて、それぞれの場所における２Ｄ平面からのそれぞれの上昇値を計算することと、空洞の内部表面の部分的に平坦化された表面の画像を、それぞれの場所における計算されたそれぞれの上昇値に従って、部分的に平坦化された表面が２Ｄ平面から上昇している状態で、ディスプレイにレンダリングすることと、を行わせる。
【図面の簡単な説明】
【００２５】
本発明は、添付の図面と併せて、以下の詳細な説明から理解されよう。
【図１】本発明の一実施形態による、装置を使用した侵襲的医療処置の概略図である。
【図２】本発明の一実施形態による、図１の装置で使用されるプローブの遠位端の概略図である。
【図３】図１の装置によって受信された生存している対象の身体内の空洞の内部表面の画像の切欠図である。
【図４】図３の空洞の内部表面の部分的に平坦化された表面の側面図である。
【図５】図４の部分的に平坦化された表面の平面図である。
【図６】終点を含む、図４の部分的に平坦化された表面の平面図である。
【図７】図６の終点間の経路を示す、部分的に平坦化された表面の平面図である。
【図８】図７の経路上の医療器具の表現を示す、部分的に平坦化された表面の平面図である。
【図９】図１の装置の第１の動作方法における例示的なステップを含むフローチャートである。
【図１０】図１の装置の第２の動作方法における例示的なステップを含むフローチャートである。
【発明を実施するための形態】
【００２６】
概論
上述のように、２Ｄ画面上の心腔などの身体部の３Ｄ画像を提示しようとする際、ユーザインターフェースによる３Ｄ画像の手動回転により、ユーザによる３Ｄ画像の様々な側面の目視検査が可能になる。このタイプの検査は、室の全ての表面が概して同時に見えないため制限され、医師が身体部の特徴を見つけることを困難にし、また医師が身体部全体を状況内で認識することを困難にする。上記の欠点は、より遅い医療処置又は更には医療的な誤りをもたらす場合があり、これは、心臓又は同様の医療処置において致死的であり得る。
【００２７】
本発明の実施形態は、生存している対象の身体内の３Ｄ空洞の内部表面の３Ｄマップを部分的に平坦化し、直感的な部分的に平坦化された表面を生み出す。部分的に平坦化された表面は、空洞の内部表面の様々な突出部、押し込み、並びに一般形状を表す、上昇部及び凹部を有する平面に近似する。部分的に平坦化された表面は、空洞の内部表面の反対側が、部分的に平坦化された表面の画像を回転させる必要なく、同時に視認されることを可能にする。したがって、部分的に平坦化された表面は、医師が、部分的に平坦化された表面を回転させることなく、状況内の空洞全体を理解することを可能にする。加えて、部分的に平坦化された表面は、医師が、空洞の特徴をより容易に見出すことを可能にする。
【００２８】
３Ｄマップの空洞の内部表面の位置は、球面座標系内に画定される。各位置は、球面座標系の原点からの角度座標対（θ、φ）及び関連する半径方向距離ｒによって画定される。球面座標系の原点は、空洞の重心として計算されてもよく、又はいくつかの他の好適な場所として画定されてもよい。いくつかの実施形態では、３Ｄマップは、最初に、デカルト、又は他の座標系によって画定されてもよく、これは次いで球面座標系に変換される。
【００２９】
内部表面からのそれぞれの位置の角度座標対（θ、φ）は、既定の座標変換に従って２Ｄ平面内のそれぞれの場所（ｘ、ｙ）に投影される。したがって、例えば、角度座標対（θ１、φ１）は、２Ｄ平面内の場所（ｘ１、ｙ１）にマッピングされてもよい。投影は、任意の好適な座標変換に従って実行されてもよい。投影及び好適な座標変換は、以下のシステムの説明においてより詳細に説明される。
【００３０】
それぞれの場所（ｘ、ｙ）における２Ｄ平面からのそれぞれの上昇値は、それぞれの投影された角度座標対（θ、φ）と関連付けられた半径方向距離ｒに少なくとも基づいて計算される。そのため、例えば、２Ｄ平面内の場所ｘ１、ｙ１における上昇値は、投影された角度座標対（θ１、φ１）と関連付けられた半径方向距離ｒ１に基づいて計算される。場所における上昇値は、Ｒを、所与の因数により乗じることによって計算され得、式中、Ｒは、一例として、関連する半径方向距離ｒ、又は空洞の内部表面上の位置の平均半径方向距離未満の関連する半径方向距離ｒ、若しくは空洞の内部表面上の位置の最小半径方向距離未満の関連する半径方向距離ｒ、と同等である。上昇部は、それぞれの上昇値がそれぞれの半径方向距離から計算される方法に応じて、２Ｄ平面（すなわち、上昇部又は凹部）の上方及び／又は下方に延在してもよい。
【００３１】
空洞の内部表面の部分的に平坦化された表面の画像は、部分的に平坦化された表面がそれぞれの場所における計算されたそれぞれの上昇値に従って、２Ｄ平面（上及び／又は下）から上昇している状態で、ディスプレイにレンダリングされる。
【００３２】
加えて、又は代替的に、異なる色が、部分的に平坦化された表面に追加されてもよく、そのため色は、それぞれの場所における、計算されたそれぞれの上昇値範囲を示す。色は、特に部分的に平坦化された表面を上から直接視認するとき（例えば、平面図）、医師が、部分的に平坦化された表面の異なる上昇部及び凹部を知覚することを援助する。
【００３３】
加えて、又は代替的に、輪郭線は、計算された上昇値に従って、部分的に平坦化された表面に追加されてもよい。輪郭線はまた、特に部分的に平坦化された表面を上から直接視認するとき（例えば、平面図）、医師が、部分的に平坦化された表面の異なる上昇部及び凹部を知覚することを援助する。
【００３４】
部分的に平坦化された表面は、表面が様々な異なる配向で視認可能であるように、医師によって操作され得る。具体的には、いくつかの配向により、医師は、表面内のより多くの上昇部（及び／又は凹部）を見ることが可能になる。この点に関して、ユーザ入力は、ユーザが部分的に平坦化された表面の新しい配向を選択したことを示し、受信され得る。次いで、部分的に平坦化された表面の画像が、処理され、新しい配向に応答して、部分的に平坦化された表面が配向されるようにレンダリングされる。
【００３５】
部分的に平坦化された表面は、医療器具を内部表面にわたって移動させる、及び／又は内部表面に対する医療器具の位置を視認するためのより良好な経路計画を可能にし得る。
【００３６】
色及び／又は輪郭線はまた、医師が、上昇部及び凹部を回避しながら、２つの終点間の経路を計画することを可能にし得る。
【００３７】
加えて、又は代替的に、ユーザ入力は、ユーザから受信されてもよく、空洞の内部表面の部分的に平坦化された表面にわたる経路を計算するための終点を示す。次いで、受信された終点間の経路が、計算された上昇値のうちの少なくともいくつかに応答して計算され得、そのため計算された経路は、所与の限度を上回る上昇部における逸脱を回避する。次いで、経路は、部分的に平坦化された表面上にレンダリングされ得る。
【００３８】
いくつかの実施形態では、空洞内の医療器具の位置は、任意の好適な位置追跡技術を使用して追跡され得る。次いで、医療器具の表現は、追跡された位置に応答して、部分的に平坦化された表面上にレンダリングされてもよい。
【００３９】
システムの説明
参照により本明細書に援用される文書は本出願の一体部とみなされるべきであり、いかなる用語も、それらの援用された文書内で、本明細書で明示的又は暗示的に行われる定義と相反するように定義される場合を除き、本明細書における定義のみが考慮されるべきである。
【００４０】
ここで、本発明の一実施形態による、医療分析サブシステムを含む、装置１２を使用した侵襲的医療処置の概略図である、図１を参照する。また、本発明の一実施形態による、装置１２で用いられるプローブ２０の遠位端２２の概略図である図２も参照する。この処置は、医師１４によって行われ、これ以降の説明において、この処置は、ヒトの患者１８の心臓の心筋１６の組織１５の一部のアブレーションを含むと想定されている。
【００４１】
検査を行うために、医師１４は、プローブ２０が心室に挿入されるように、患者１８の内腔内に予め位置決めされているシース２１内にプローブ２０を挿入する。シース２１は、プローブ２０の遠位端２２が患者１８の心臓に入るように位置決めされている。遠位端２２は、遠位端２２の場所及び配向を追跡することを可能にする位置センサ２４、遠位端２２が心筋１６に接触するときに遠位端２２によって印加される力を測定する力センサ２６、及び遠位端２２のそれぞれの場所での温度を測定する１つ又は２つ以上の温度センサ２８を含む。遠位端２２は更に、心室内で心筋１６に高周波電力を加えて心筋１６をアブレーションするために使用される１つ又は２つ以上の電極３０を備える。電極（複数可）３０は、心筋１６から電極電位を取得するためにも使用され得る。
【００４２】
装置１２は、装置の操作コンソール４８内に位置するシステムプロセッサ４６により制御される。操作コンソール４８は、医師１４がプロセッサ４６と通信するために使用される、少なくとも１つのユーザ入力デバイス４９の制御用つまみ類を含む。プロセッサ４６用のソフトウェアは、例えば、ネットワークを介して電子的方式でプロセッサ４６にダウンロードすることができる。代替的に又は更に、ソフトウェアは、光学的、磁気的、又は電子的記憶媒体などの非一過性有形媒体で提供され得る。
【００４３】
プロセッサ４６は、典型的にはフィールドプログラマブルゲートアレイ（field programmable gate array、ＦＰＧＡ）として構成されるリアルタイムノイズ低減回路４５、続いてアナログ−デジタル（analog-to-digital、Ａ／Ｄ）信号変換集積回路４７を備え得る。このプロセッサ４６は、信号をＡ／Ｄ信号変換集積回路４７から別のプロセッサに伝えることができ、かつ／又は、本明細書において開示されている少なくとも１つのアルゴリズムを実行するようにプログラムすることができ、このアルゴリズムは、本明細書において以下に説明されているステップを含む。このプロセッサ４６は、アルゴリズムを実行するために、ノイズ低減回路４５及びＡ／Ｄ信号変換集積回路４７、並びに以下でより詳細に説明されているモジュールの機能部を使用する。
【００４４】
装置１２を操作するために、プロセッサ４６のアルゴリズムは、装置１２を操作するためにプロセッサ４６により使用される多数のモジュールを有するモジュールバンク５０と通信する。したがって、モジュールバンク５０は、ＥＣＧ信号をプロセッサ４６に提供するために、身体表面電極３１及び／又は電極３０から信号を受信するように連結された心電図（electrocardiograph、ＥＣＧ）モジュール５６を備える。身体表面電極３１及び／又は電極（複数可）３０は、対象（例えば、患者１８）の身体に適用されるように構成されており、かつ対象の心臓の電気的活動に応答して信号を出力するように構成されている。電極（複数可）３０は、プローブ２０を介して身体の心臓に適用される。モジュールバンク５０は更に、位置センサ２４からの信号を受信して分析し、信号分析を使用して遠位端２２の位置及び配向を生成する追跡モジュール５８を含む。いくつかの実施形態では、位置センサ２４は、コイルを横切る磁界に応じてセンサ信号を提供する、１つ又は２つ以上のコイルを含む。これらの実施形態では、追跡モジュール５８は、位置センサ２４から信号を受信及び解析することに加えて、位置センサ２４を横切る磁界を放射する放射器３２、３４、及び３６を制御する。放射器３２、３４、及び３６は、心筋１６に近接して配置されており、心筋１６に近接する領域内に交番磁界を放射するように構成されている。複数のワイヤ接続部３５は、操作コンソール４８を身体表面電極（body the surface electrodes）３１及び他の構成要素（放射器３２、３４、３６、及びセンサ２４など）と連結して、追跡モジュール５８がプローブ２０の場所及び配向座標を測定することを可能にする。いくつかの実施形態では、追跡モジュール５８は、プローブ２０の、心臓に対する相対的な場所及び相対的な配向を計算するように構成されている。磁気による場所及び配向追跡については、米国特許第７，７５６，５７６号及び同第７，５３６，２１８号（参照により本明細書に援用される）に記載されている。Ｂｉｏｓｅｎｓｅ  Ｗｅｂｓｔｅｒ（３３  Ｔｅｃｈｎｏｌｏｇｙ  Ｄｒｉｖｅ，Ｉｒｖｉｎｅ，ＣＡ９２６１８  ＵＳＡ）製のＣａｒｔｏシステムは、このような磁気追跡システムを使用する。追跡モジュール５８は、磁気ベースの場所及び配向追跡を使用することに限定されない。インピーダンスに基づく追跡又は画像に基づく追跡など、任意の好適な場所及び配向追跡を使用することができる。
【００４５】
装置１２は、ＭＲＩユニット、ＣＴユニットなどのような外部の画像診断モダリティからの画像データを受信することができ、画像を生成及び表示するために、プロセッサ４６に組み込まれ得る又はプロセッサ４６によって呼び出され得る画像プロセッサを含む。画像データは追跡モジュール５８に登録されてもよく、受信されたデータとプローブ２０の位置とを組み合わせるユーザインターフェース画面７０が、医師１４に向けてディスプレイ６１上に表示されてもよい。例えば、プローブ２０の遠位端２２の軌跡が、ディスプレイ６１上に表示される患者１８の心臓の３次元（３Ｄ）表現上に示されてもよい。いくつかの実施形態では、心臓の３Ｄ表現は、プローブ２０によって実行されたマッピングに基づいて少なくとも部分的に計算されてもよい。
【００４６】
電極（複数可）３０及び身体表面電極３１は、参照により本明細書に援用される、Ｇｏｖａｒｉらに発行された米国特許第７，５３６，２１８号に教示されるように、アブレーション部位における組織インピーダンスを測定するために使用され得る。
【００４７】
モジュールバンク５０はまた、力モジュール６０、電源モジュール６２、灌注モジュール６４、及び温度モジュール６６を含む。これらモジュールの機能を、以下に説明する。モジュールバンク５０におけるモジュール、及びプロセッサ４６は、本明細書においては、処理回路５１と呼ばれる。
【００４８】
力モジュール６０は、力センサ２６からの信号を受信し、その信号から、遠位端部２２によって組織１５に及ぼされる接触力の大きさ（本明細書ではグラム単位で測定されることを前提とする）を生成する。いくつかの実施形態では、力センサ２６は、力センサ２６が力モジュール６０に提供する信号によって、力モジュール６０が、遠位端２２により組織１５に及ぼされる力の方向を評価することができるように構成されている。
【００４９】
電源モジュール６２は、心筋１６の組織１５をアブレーションするために電極（複数可）３０によって印加される高周波電力を発生させる高周波（radiofrequency、ＲＦ）信号発生器６３を備える。プロセッサ４６及び電源モジュール６２は、電極（複数可）３０によって送達される電力レベル（本明細書ではワット単位で測定されることを前提とする）、及び秒単位で測定される、電力が送達されている間の時間の長さを調節することが可能である。
【００５０】
灌注モジュール６４は、操作コンソール４８内に配設されたポンプ６５によって遠位端２２に供給される、典型的には生理食塩水である灌注流体の流量（本明細書ではｍＬ／分で測定されることを前提とする）を制御する。プローブ２０は、内部を通じて心筋１６を灌注する潅注チャネルを含む。灌注流体は、遠位端２２内の灌注孔６９から放出される。ポンプ６５は、アブレーション処置の状態に従って、アイドル速度で、かつ１つ又は２つ以上の非アイドル速度（アイドル速度よりも高速度）で灌注流体を選択的に、灌注チャネル内に送り込むように構成されている。
【００５１】
温度モジュール６６は、温度センサ２８によって（又は各温度センサ２８によって）提供される温度信号を受信する。温度信号は、複数の異なる時点における心筋の温度を示す。温度モジュール６６は、各センサ２８によって登録された温度を決定する。通常、複数のセンサ２８の場合、温度モジュール６６は、遠位端２２の平均温度を判定する。更に、複数のセンサが存在する場合、温度モジュール６６は、遠位端２２の温度分布のマップを作成することができる。
【００５２】
ここで、生存している対象の身体内の空洞の内部表面７２（図３に示される）の部分的に平坦化された表面８０（図４〜図８に示される）の生成、操作、及び使用を示す、図３〜図１０を参照する。空洞は、生存している対象の身体内の任意の好適な空洞、例えば、限定されるものではないが、心室又は副鼻腔の空洞であり得る。部分的に平坦化された表面８０の画像は、ディスプレイ６１上の装置１２によってレンダリングされてもよく、又は任意の好適な処理及びディスプレイシステムを使用してレンダリングされてもよく、及びディスプレイ６１上の装置１２によってレンダリングされることに限定されない。
【００５３】
ここで、図１の装置１２によって受信された生存している対象の体内の空洞の内部表面７２の画像７０の切欠図である、図３を参照する。いくつかの実施形態において、画像７０は、装置１２によって生成され得る。区分７４は、位置７６（簡略化のために１つのみ示されている）がどのように画定されるかを示すために、内部表面７２から切り取られている。内部表面７２上の位置７６は、球面座標系内に画定されてもよく、各位置７６は、球面座標系の原点７８からの角度座標対（θ、φ）及び関連する半径方向距離、ｒ、を含む、座標（ｒ、θ、φ）によって定義される。極角θは、固定された天頂方向（図３内のｚ０軸）から測定され、方位角φは、原点７８を通過する基準面（ｘ０軸及びｙ０軸によって画定される）上で測定され、その平面上の（ｘ０軸からの）固定された基準方向から測定される、天頂と直交する。便宜上、極角θは、０〜１８０度の値を有し、方位角φは、０〜３６０度の値を有する。角度θ、φによって対象とされる範囲の定義は、任意の好適な範囲に変更されてもよい。例えば、θは、０〜３６０であってもよく、φは、−９０〜＋９０度であってもよい。角度はまた、ラジアン又は任意の好適な単位で測定されてもよい。他の実施形態では、位置７６は、任意の好適な座標系に従って定義されてもよい。
【００５４】
ここで、図３の空洞の内部表面７２の部分的に平坦化された表面８０の側面図である、図４を参照する。部分的に平坦化された表面８０は、凹部８２及び上昇部８４を含む。凹部８２及び上昇部８４の計算は、ここでより詳細に説明される。
【００５５】
それぞれの位置７６（図３）の角度座標対（θ、φ）は、既定の座標変換に従って、内部表面７２から２Ｄ平面８５内のそれぞれの場所に投影される。２Ｄ平面８５は、座標系８８、例えば、デカルト座標系のｘ軸及びｙ軸によって画定されてもよい。したがって、例えば、半径方向距離ｒ１を有する角度座標対（θ１、φ１）は、２Ｄ平面８５内の場所（ｘ１、ｙ１）（座標系８８に従い、また図４内の場所Ｐとしてもマークされる）に投影されてもよい。
【００５６】
投影は、任意の好適な座標変換に従って実行されてもよい。例えば、極角θが、０〜１８０度の値を有し、方位角φが、０〜３６０度の値を有するとき、角度座標対は、０〜１８０のｘ軸値及び０〜３６０のｙ軸値を有する矩形２Ｄ平面に投影されてもよい。Ｘ軸及び／又はｙ軸のスケールは、線形又は非線形であってもよい。各角度座標対（θ、φ）に関して、極角θは、ｘ軸の対応する値に投影されてもよく、方位角φは、ｙ軸の対応する値に投影されてもよい。例えば、（９５°、２８０°）の角度座標対は、２Ｄ平面８５の座標（ｘ＝９５、ｙ＝２８０）に投影される。
【００５７】
内部表面７２上の位置７６を、２Ｄ平面８５上に投影するための他の投影方法が、使用されてもよい。投影は、選択された投影表面（例えば、円筒又は円錐上への投影）、突出部の態様（内部表面７２が選択された投影面に対してどのように配向されるか）、使用されるスケーリング、及び内部表面７２（例えば、球体又は楕円体）の形状に対するモデルの選択、に応じて異なってもよい。他の可能な投影方法としては、単なる例として、Ｅｑｕｉｒｅｃｔａｎｇｕｌａｒ、Ｃａｓｓｉｎｉ、Ｍｅｒｃａｔｏｒ、Ｍｉｌｌｅｒ、Ｂｅｈｒｍａｎｎ、Ｓｉｎｕｓｏｉｄａｌ、Ｅｃｋｅｒｔ、Ｖａｎ  ｄｅｒ  Ｇｒｉｎｔｅｎが挙げられる。
【００５８】
それぞれの場所（ｘ、ｙ）における２Ｄ平面８５からのそれぞれの上昇値は、それぞれの投影された角度座標対（θ、φ）と関連付けられた半径方向距離ｒに少なくとも基づいて計算される。したがって、例えば、２Ｄ平面８５内の座標ｘ１、ｙ１を有する場所Ｐにおける上昇値は、投影された角度座標ペア（θ１、φ１）と関連付けられた半径方向距離ｒ１に基づいて計算される。
【００５９】
場所における上昇値は、Ｒに所与の倍率を乗じることによって計算されてもよく、式中、Ｒは、単なる例としての以下のうちの１つと同等である：（ａ）関連する半径方向距離ｒ、（ｂ）空洞の内部表面上の位置の平均半径方向距離未満の関連する半径方向距離ｒ、又は（ｃ）空洞の内部表面上の位置の最小半径方向距離未満の関連する半径方向距離ｒ。上昇値計算方法によって、上昇値は、それぞれ、（座標系８８のｚ軸に平行な）２Ｄ平面８５を上回る上昇部、若しくは２Ｄ平面８５を下回る凹部と関連付けられた、正又は負の値をもたらすことができる。
【００６０】
例えば、半径方向距離がｒ１である場合、平均半径方向距離は、ｒａｖであり、最小半径方向距離は、ｒｍｉｎであり、倍率は、０．５に等しく、上昇値は、以下の方法のいずれかによって計算され得る：
１．０．５×ｒ１、
２．０．５×（ｒ１−ｒａｖ）、若しくは
３．０．５×（ｒ１−ｒｍｉｎ）。
【００６１】
部分的に平坦化された表面８０は、計算された上昇値に従って、凹部８２及び上昇部８４でレンダリングされる。具体的には、部分的に平坦化された表面８０は、その表面上の位置が、それぞれの場所の計算されたそれぞれの上昇値に等しい、２Ｄ平面８５上のそれぞれの場所から、（座標系８８のｚ軸に平行に測定される）ある距離で配設されるようにレンダリングされる。例えば、座標系８８内の場所（ｘ１、ｙ１）にマッピングされた半径方向距離ｒ１を有し、計算された上昇値Ｅ１を有する角度座標対（θ１、φ１）に関して、部分的に平坦化された表面８０の対応する位置の座標は、座標系８８内の（ｘ１、ｙ１、Ｅ１）によって与えられる。
【００６２】
輪郭線８６もまた部分的に平坦化された表面８０に追加されて、同等の上昇値の線をハイライトし、医師１４による、凹部８２、及び上昇部８４、並びに凹部８２及び上昇部８４の急峻性によって、より容易な識別を可能にする。輪郭線の粒度は、ユーザ定義可能であり得る。いくつかの実施形態では、輪郭線の粒度は、プロセッサ４６によって計算されてもよく、そのため上昇値の範囲が所与の数の輪郭線によって分割される。例えば、最小及び最大上昇値が、それぞれ５ｃｍ及び８ｃｍであり、６の輪郭線の所与の数は、上昇値における０．５ｃｍのジャンプを表す。
【００６３】
色がまた、部分的に平坦化された表面８０に加えられて、異なる色で異なる上昇値範囲を示す。色はまた、医師１４により、凹部８２及び上昇部８４のより容易な識別を可能にする。異なる色と関連付けられた上昇値範囲は、ユーザ構成可能であり得る。いくつかの実施形態では、色は、異なる上昇値範囲に自動的に割り当てられてもよい。加えて、又は代替的に、上昇値範囲の数及び／又はサイズは、ユーザ構成可能であってもよい。
【００６４】
部分的に平坦化された表面８０は、表面８０が様々な異なる配向で視認可能であるように、医師１４によって操作され得る。具体的には、いくつかの配向により、医師は、表面内のより多くの上昇部（及び／又は凹部）を見ることが可能になる。例えば、図４の部分的に平坦化された表面８０の図は、図５に示される部分的に平坦化された表面８０の平面図よりも、より明確に凹部８２及び上昇部８４を示す。
【００６５】
ここで、図４の部分的に平坦化された表面８０の平面図である、図５を参照する。上部から視認されるとき、凹部８２及び上昇部８４は、色及び／又は輪郭線８６を使用することなく明らかでなくてもよい。色及び／又は輪郭線８６は、特に部分的に平坦化された表面を上から直接視認するとき（例えば、平面図）、医師１４が部分的に平坦化された表面８０の異なる上昇部を知覚することを援助する。
【００６６】
ここで、終点９０、９２を含む、図４の部分的に平坦化された表面８０の平面図である、図６を参照する。終点９０、９２は、空洞の内部表面７２にわたる所望の経路の開始及び終了を画定するために、ユーザによって指定されてもよい。ユーザは、同じ上昇値範囲内に維持することに基づいて、終点９０、９２間の計算された経路を見ることを望む場合があり、これは、例えば、以下のうちのいずれか１つ又は２つ以上を含み得る：輪郭線８６のうちの１つを交差しない、輪郭線８６などのうちの２つを交差しない、及び／又は計算された経路の間の所与の正並びに／若しくは負の上昇値を、全体として、又は更に計算された経路の所与の区分又は複数の区分であっても、超えない。終点９０、９２は、部分的に平坦化された表面８０を示す好適なユーザインターフェース画面を使用して、ユーザによって入力されてもよく、一例として、ユーザが、マウス又はスタイラスなどの好適なポインティングデバイスを使用して、終点９０、９２を部分的に平坦化された表面８０に追加することを可能にする。終点９０、９２は、部分的に平坦化された表面８０が現在どちらの配向で表示されているかにおいて、ユーザによって部分的に平坦化された表面８０に追加されてもよい。
【００６７】
ここで、図６の端点９０、９２間の経路９４を示す部分的に平坦化された表面８０の平面図である、図７を参照する。経路９４は、経路９４を同じ上昇値範囲内に維持することに基づいて、終点９０、９２間で計算され、これは、例えば、以下のうちの任意の１つ又は２つ以上を含み得る：輪郭線８６のうちの１つを交差しない、輪郭線８６などのうちの２つを交差しない、及び／又は計算された経路の間の所与の正並びに／若しくは負の上昇値を、全体として、又は更に計算された経路の所与の区分又は複数の区分であっても、超えない。
【００６８】
ここで、図７の経路９４上の医療用器具の表現９６を示す部分的に平坦化された表面８０の平面図である、図８を参照する。医療器具の位置は、追跡されてもよく、部分的に平坦化された表面８０に対する医療器具の追跡された位置が、表現９６を使用して示されてもよい。表現９６は、概して、医療器具の追跡された位置が移動するにつれて、移動する。
【００６９】
図１及び図２のプローブ２０は、医療器具の一例である。しかしながら、医療器具としては、単なる例として、身体部位に挿入するための非アブレーションプローブ、内視鏡、及び／又はＥＮＴツール、吸引ツール、マイクロデブリーダ、若しくはシェーバなどの外科用ツールなどの任意の好適な医療器具が挙げられ得る。
【００７０】
ここで、図１の装置１２の第１の操作方法における例示的なステップを含むフローチャート１００である、図９を参照する。プロセッサ４６（図１）は、生存している対象の身体内の空洞の内部表面７２（図３）の３Ｄマップを受信するように構成されている（ブロック１０２）。プロセッサ４６は、原点７８（図３）を内部表面７２の重心として計算するように構成されている（ブロック１０４）。いくつかの実施形態では、原点７８は、内部表面７２内、又は内部表面７２上、若しくは更に内部表面７２の外側にある任意の好適な点であってもよい。
【００７１】
内部表面７２が球面座標系によってまだ画定されていない場合、プロセッサ４６は、内部表面７２上の位置７６（図３）に関する座標（例えば、デカルト座標）を、各位置７６が角度座標対（θ、φ）、及び関連する原点７８からの半径方向距離ｒによって画定されている球面座標に変換するように構成されている（ブロック１０６）。プロセッサ４６は、既定の座標変換に従って、内部表面７２からのそれぞれの位置７６の角度座標対（θ、φ）を、２Ｄ平面８５（図４）内のそれぞれの場所（ｘ、ｙ）に投影するように構成されている（ブロック１０８）。プロセッサ４６は、それぞれの投影された角度座標対（θ、φ）と関連付けられた、半径方向距離ｒに少なくとも基づいて、それぞれの場所における２Ｄ平面８５からのそれぞれの上昇値を計算するように構成されている（ブロック１１０）。
【００７２】
プロセッサ４６は、部分的に平坦化された表面８０が、それぞれの場所における計算されたそれぞれの上昇値に従って、２Ｄ平面から上昇している状態で、空洞の内部表面７２の部分的に平坦化された表面８０の画像（図４、図５）をディスプレイ６１にレンダリングするように構成されている（ブロック１１２）。ブロック１１２のレンダリングステップの一部として、ブロック１１４及び／又はブロック１１６のサブステップが実行されてもよい。プロセッサ４６は、計算された上昇値に従って、輪郭線８６（図４及び図５）を部分的に平坦化された表面８０に追加するように構成され得る（ブロック１１４）。プロセッサ４６は、色がそれぞれの場所における計算されたそれぞれの上昇値を示すように、部分的に平坦化された表面８０に異なる色を追加するように構成され得る（ブロック１１６）。
【００７３】
プロセッサ４６は、部分的に平坦化された表面８０の新しい配向を示すユーザ入力を受信するように構成されている（ブロック１１８）。プロセッサ４６は、部分的に平坦化された表面８０が新しい配向に応答して配向されている状態で、部分的に平坦化された表面８０の画像をディスプレイ６１にレンダリングするように構成されている（ブロック１２０）。
【００７４】
ここで、図１の装置１２の第２の操作方法における例示的なステップを含むフローチャート１３０である、図１０を参照する。図６〜図８もまた参照する。
【００７５】
プロセッサ４６（図１）は、空洞の内部表面７２の部分的に平坦化された表面８０にわたる経路を計算するために、終点９０、９２を示すユーザ入力を受信するように構成されている（ブロック１３２）。プロセッサ４６は、計算された上昇値のうちの少なくともいくつかに応答して、受信された終点９０、９２間の経路９４を計算するように構成されている（ブロック１３４）。いくつかの実施形態では、経路９４は、経路９４を同じ上昇値範囲内に維持することに基づいて、終点９０、９２間で計算され、これは、例えば、以下のうちの任意の１つ又は２つ以上を含み得る：輪郭線８６のうちの１つを交差しない、輪郭線８６などのうちの２つを交差しない、及び／又は計算された経路の間の所与の正並びに／若しくは負の上昇値を、全体として、又は更に計算された経路９４の区分内であっても、超えない。プロセッサ４６は、部分的に平坦化された表面８０上に経路９４をレンダリングするように構成されている（ブロック１３６）。
【００７６】
医療器具が、空洞に挿入されることに応じて、追跡モジュール５８は、空洞内の医療器具の位置を追跡するように構成されている（ブロック１３８）。プロセッサ４６は、追跡された位置に応答して、部分的に平坦化された表面８０上に医療用器具の表現９６をレンダリングするように構成されている（ブロック１４０）。
【００７７】
本発明の様々に異なる特徴が、明確性のために別個の実施形態の文脈において記載されているが、これらが単一の実施形態中に組み合わせて提供されてもよい。逆に、簡潔にするために単一の実施形態の文脈において記載されている本発明の様々な特徴が、別々に又は任意の適切な部分的組み合わせとして提供されてもよい。
【００７８】
上に記載される実施形態は、例として引用されており、本発明は、上に特に図示及び記載されたものによって限定されない。むしろ、本発明の範囲は、上に記載される様々な特徴の組み合わせ及び部分的組み合わせの両方、並びに前述の記載を読むと当業者が思い付くであろう先行技術に開示されていないその変形及び修正を含む。
【００７９】
〔実施の態様〕
（１）  医療分析システムであって、
ディスプレイと、
処理回路と、を備え、前記処理回路が、
生存している対象の身体内の空洞の内部表面の３次元（３Ｄ）マップを受信することであって、前記内部表面上の位置が、球面座標系内に画定されており、各位置が、前記球面座標系の原点からの角度座標対及び関連する半径方向距離によって画定されている、受信することと、
既定の座標変換に従って、前記内部表面からのそれぞれの位置の前記角度座標対を、２次元（２Ｄ）平面内のそれぞれの場所に投影することと、
それぞれの投影された前記角度座標対と関連付けられた前記半径方向距離に少なくとも基づいて、前記それぞれの場所における前記２Ｄ平面からのそれぞれの上昇値を計算することと、
前記空洞の前記内部表面の部分的に平坦化された表面の画像を、前記それぞれの場所における計算された前記それぞれの上昇値に従って、前記部分的に平坦化された表面が前記２Ｄ平面から上昇している状態で、前記ディスプレイにレンダリングすることと、を行うように構成されている、医療分析システム。
（２）  前記処理回路が、前記部分的に平坦化された表面に異なる色を追加するように構成されており、そのため前記色が、前記それぞれの場所における前記計算されたそれぞれの上昇値を示す、実施態様１に記載のシステム。
（３）  前記処理回路が、前記計算された上昇値に従って、前記部分的に平坦化された表面に輪郭線を追加するように構成されている、実施態様１に記載のシステム。
（４）  前記処理回路が、各位置に対して、前記内部表面のデカルト座標を、前記角度座標対及び前記関連する半径方向距離に変換するように構成されている、実施態様１に記載のシステム。
（５）  前記処理回路が、前記原点を前記内部表面の重心として計算するように構成されている、実施態様１に記載のシステム。
【００８０】
（６）  前記処理回路が、前記空洞の前記内部表面の前記部分的に平坦化された表面上の経路を計算するための終点を示すユーザ入力を受信することと、前記計算された上昇値のうちの少なくともいくつかに応答して、受信された前記終点間の経路を計算することと、前記経路を前記部分的に平坦化された表面上にレンダリングすることと、を行うように構成されている、実施態様１に記載のシステム。
（７）  前記空洞に挿入されるように構成された医療器具と、
前記空洞内の前記医療器具の位置を追跡するように構成された追跡モジュールと、を更に備え、前記処理回路が、追跡された前記位置に応答して、前記医療器具の表現を前記部分的に平坦化された表面上にレンダリングするように構成されている、実施態様６に記載のシステム。
（８）  前記処理回路が、前記部分的に平坦化された表面の新しい配向を示すユーザ入力を受信することと、前記部分的に平坦化された表面が前記新しい配向に応答して配向されている状態で、前記部分的に平坦化された表面の前記画像を前記ディスプレイにレンダリングすることと、を行うように構成されている、実施態様１に記載のシステム。
（９）  医療分析方法であって、
生存している対象の身体内の空洞の内部表面の３次元（３Ｄ）マップを受信することであって、前記内部表面上の位置が、球面座標系内に画定されており、各位置が、前記球面座標系の原点からの角度座標対及び関連する半径方向距離によって画定されている、受信することと、
既定の座標変換に従って、前記内部表面からのそれぞれの位置の前記角度座標対を、２次元（２Ｄ）平面内のそれぞれの場所に投影することと、
それぞれの投影された前記角度座標対と関連付けられた前記半径方向距離に少なくとも基づいて、前記それぞれの場所における前記２Ｄ平面からのそれぞれの上昇値を計算することと、
前記空洞の前記内部表面の部分的に平坦化された表面の画像を、前記それぞれの場所における計算された前記それぞれの上昇値に従って、前記部分的に平坦化された表面が前記２Ｄ平面から上昇している状態で、ディスプレイにレンダリングすることと、を含む、方法。
（１０）  前記部分的に平坦化された表面に異なる色を追加することを更に含み、そのため前記色が、前記それぞれの場所における前記計算されたそれぞれの上昇値を示す、実施態様９に記載の方法。
【００８１】
（１１）  前記計算された上昇値に従って、前記部分的に平坦化された表面に輪郭線を追加することを更に含む、実施態様９に記載の方法。
（１２）  各位置に対して、前記内部表面のデカルト座標を、前記角度座標対及び前記関連する半径方向距離に変換することを更に含む、実施態様９に記載の方法。
（１３）  前記原点を前記内部表面の重心として計算することを更に含む、実施態様９に記載の方法。
（１４）  前記空洞の前記内部表面の前記部分的に平坦化された表面上の経路を計算するための終点を示すユーザ入力を受信することと、
前記計算された上昇値のうちの少なくともいくつかに応答して、受信された前記終点間の経路を計算することと、
前記部分的に平坦化された表面上に前記経路をレンダリングすることと、を更に含む、実施態様９に記載の方法。
（１５）  前記空洞に挿入された医療器具の位置を追跡することと、追跡された前記位置に応答して、前記医療器具の表現を前記部分的に平坦化された表面上にレンダリングすることと、を更に含む、実施態様１４に記載の方法。
【００８２】
（１６）  前記部分的に平坦化された表面の新しい配向を示すユーザ入力を受信することと、
前記部分的に平坦化された表面が前記新しい配向に応答して配向されている状態で、前記部分的に平坦化された表面の前記画像を、前記ディスプレイにレンダリングすることと、を更に含む、実施態様９に記載の方法。
（１７）  ソフトウェア製品であって、プログラム命令が格納されている非一時的なコンピュータ可読媒体を含み、前記命令が、中央処理装置（ＣＰＵ）によって読み取られると、前記ＣＰＵに、
生存している対象の身体内の空洞の内部表面の３次元（３Ｄ）マップを受信することであって、前記内部表面上の位置が、球面座標系内に画定され、各位置が、前記球面座標系の原点からの角度座標対及び関連する半径方向距離によって画定されている、受信することと、
既定の座標変換に従って、前記内部表面からのそれぞれの位置の前記角度座標対を、２次元（２Ｄ）平面内のそれぞれの場所に投影することと、
それぞれの投影された前記角度座標対と関連付けられた前記半径方向距離に少なくとも基づいて、前記それぞれの場所における前記２Ｄ平面からのそれぞれの上昇値を計算することと、
前記空洞の前記内部表面の部分的に平坦化された表面の画像を、前記それぞれの場所における計算された前記それぞれの上昇値に従って、前記部分的に平坦化された表面が前記２Ｄ平面から上昇している状態で、ディスプレイにレンダリングすることと、を行わせる、ソフトウェア製品。
【図１】
2020140716.tif 000003
【図２】
2020140716.tif 000004
【図３】
2020140716.tif 000005
【図４】
2020140716.tif 000006
【図５】
2020140716.tif 000007
【図６】
2020140716.tif 000008
【図７】
2020140716.tif 000009
【図８】
2020140716.tif 000010
【図９】
2020140716.tif 000011
【図１０】
2020140716.tif 000012
【外国語明細書】
2020140716000001.pdf